【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
ビームフォーミング通信システムのデータ送信方法であって、
サブフレーム内の制御チャネル領域を通して、データ信号のスケジューリングのための制御信号を基地局の第１の送信ビームを使用して伝送するステップと、
前記サブフレーム内のデータ領域のうち予め定められる第１の区間内で、前記第１の送信ビームに関連する第２の送信ビームを使用して第１のデータ信号を伝送するステップであって、前記第１の区間は前記制御チャネル領域の最後から始まり、かつ、予め定められる時間区間を有するステップと、
前記サブフレーム内の残りのデータ領域の残りの区間で、前記制御信号によりスケジューリングされた第３の送信ビームを使用して第２のデータ信号を伝送するステップとを含み、
前記第１、第２及び第３の送信ビームの各々は、相異なるビーム方向を有する複数の送信ビームのうち一つであることを特徴とするデータ送信方法。
【請求項２】
前記第２の送信ビームは、前記第１の送信ビームと同一であるか、又は前記第１の送信ビームに隣接することを特徴とする請求項１に記載のデータ送信方法。
【請求項３】
前記第１の区間の長さは、基地局からシグナリングされた情報に基づいて決定されることを特徴とする請求項１に記載のデータ送信方法。
【請求項４】
ビームフォーミング通信システムのデータ受信方法であって、
サブフレーム内の制御チャネル領域を通してデータ信号のスケジューリングのために基地局の第１の送信ビームを通して伝送された制御信号を受信するステップと、
前記サブフレーム内の前記制御チャネル領域に後続するデータ領域のうち第１の区間内で、前記第１の送信ビームに関連する前記基地局の第２の送信ビームを使用して伝送された第１のデータ信号を受信するステップと、
前記サブフレーム内の前記データ領域の残りの区間で、前記制御信号によってスケジューリングされた第３の送信ビームを使用して伝送された第２のデータ信号を受信するステップとを含み、
前記第１、第２及び第３の送信ビームの各々は、相異なるビーム方向を有する複数の送信ビームのうち一つであることを特徴とするデータ受信方法。
【請求項５】
前記第２の送信ビームは、前記第１の送信ビームと同一であるか、又は前記第１の送信ビームに隣接することを特徴とする請求項４に記載のデータ受信方法。
【請求項６】
前記第１の区間の長さは、前記基地局からシグナリングされた情報に基づいて決定されることを特徴とする請求項４に記載のデータ受信方法。
【請求項７】
ビームフォーミング通信システムのデータ送信方法であって、
サブフレーム内でデータバーストのスケジュールリングのための一つ又はそれ以上の制御情報エレメントを生成し、前記制御情報エレメントの伝送に使用する第１の送信ビームを決定するステップと、
前記制御情報エレメントに対応する前記データバーストを生成するステップと、
前記制御情報エレメントのうち第１の制御情報エレメントを含むエンコーディング単位と前記データバーストのうち前記第１の制御情報エレメントに対応する第１のデータバーストとの間の時間間隔に基づいて前記第１の送信ビームに関連する第２の送信ビームを決定するステップと、
前記サブフレーム内の制御チャネル領域を通して、前記第１の送信ビームを使用して前記制御情報エレメントを含む制御信号を送信するステップと、
前記サブフレーム内の前記制御チャネル領域に後続するデータ領域のうち第１の区間で、前記第２の送信ビームを使用して前記第１のデータバーストを載せた第１のデータ信号を伝送するステップとを含み、
前記第１及び第２の送信ビームの各々は、相異なるビーム方向を有する複数の送信ビームのうち一つであることを特徴とするデータ送信方法。
【請求項８】
前記時間間隔が予め定められる閾値より小さいと、前記第２の送信ビームは、前記第１の送信ビームに基づいて決定されることを特徴とする請求項７に記載のデータ送信方法。
【請求項９】
前記第２の送信ビームは、前記第１の送信ビームと同一であるか、又は前記第１の送信ビームに隣接することを特徴とする請求項８に記載のデータ送信方法。
【請求項１０】
前記閾値は、基地局からシグナリングされた情報に基づいて決定されることを特徴とする請求項７に記載のデータ送信方法。
【請求項１１】
ビームフォーミング通信システムのデータ受信方法であって、
サブフレーム内の制御チャネル領域を通して基地局の第１の送信ビームを使用して送信された制御信号を受信するステップであって、前記制御信号は、制御情報エレメントを含むステップと、
前記制御信号のうち端末に割り当てられた第１の制御チャネルエレメントを検出するステップと、
前記サブフレーム内の前記制御チャネル領域に後続するデータ領域のうち第１の区間内で前記第１の送信ビームに関連する第２の送信ビームを使用して第１のデータ信号を受信するステップとを含み、
前記第１の区間は、前記第１の制御チャネルエレメントにより示され、前記第２の送信ビームは、前記制御情報エレメントのうち第１の制御情報エレメントを含むエンコーディング単位と前記第１の制御情報エレメントに対応する第１のデータバーストとの間の時間間隔に基づいて決定され、
前記第１及び第２の送信ビームの各々は、相異なるビーム方向を有する複数の送信ビームのうち一つであることを特徴とするデータ受信方法。
【請求項１２】
前記時間間隔が、予め定められる閾値より小さいと、前記第２の送信ビームは、前記第１の送信ビームに基づいて決定されることを特徴とする請求項１１に記載のデータ受信方法。
【請求項１３】
前記第２の送信ビームは、前記第１の送信ビームと同一であるか、又は前記第１の送信ビームに隣接することを特徴とする請求項１１に記載のデータ受信方法。
【請求項１４】
前記閾値は、前記基地局からシグナリングされた情報に基づいて決定されることを特徴とする請求項１２に記載のデータ受信方法。
【請求項１５】
ビームフォーミング通信システムのデータ送信装置であって、
サブフレーム内の制御チャネル領域を通してデータ信号のスケジューリングのための制御信号を基地局の第１の送信ビームを使用して伝送し、前記サブフレーム内のデータ領域のうち予め定められる第１の区間内で前記第１の送信ビームに関連する第２の送信ビームを使用して第１のデータ信号を伝送し、前記第１の区間は、前記制御チャネル領域の最後から始まり、かつ、予め定められる時間区間を有し、前記サブフレーム内の残りのデータ領域の残りの区間内で、前記制御信号によりスケジューリングされた第３の送信ビームを使用して第２のデータ信号を伝送する送信器と、
前記送信器によるビームフォーミング伝送を制御する制御器と、を含み、
前記第１、第２及び第３の送信ビームの各々は、相異なるビーム方向を有する複数の送信ビームのうち一つであることを特徴とするデータ送信装置。
【請求項１６】
前記第２の送信ビームは、前記第１の送信ビームと同一であるか、又は前記第１の送信ビームに隣接することを特徴とする請求項１５に記載のデータ送信装置。
【請求項１７】
前記第１の区間の長さは、基地局からシグナリングされた情報に基づいて決定されることを特徴とする請求項１５に記載のデータ送信装置。
【請求項１８】
ビームフォーミング通信システムのデータ受信装置であって、
サブフレーム内の制御チャネル領域を通してデータ信号のスケジューリングのために基地局の第１の送信ビームを通して伝送された制御信号を受信し、前記サブフレーム内の前記制御チャネル領域に後続するデータ領域のうち第１の区間内で、前記第１の送信ビームに関連する前記基地局の第２の送信ビームを使用して伝送された第１のデータ信号を受信し、前記サブフレーム内の前記データ領域の残りの区間で、前記制御信号によってスケジューリングされた第３の送信ビームを使用して伝送された第２のデータ信号を受信する受信器と、
前記受信器によるビームフォーミング受信を制御する制御器と、を含み、
前記第１、第２及び第３の送信ビームの各々は、相異なるビーム方向を有する複数の送信ビームのうち一つであることを特徴とするデータ受信装置。
【請求項１９】
前記第２の送信ビームは、前記第１の送信ビームと同一であるか、又は前記第１の送信ビームに隣接することを特徴とする請求項１８に記載のデータ受信装置。
【請求項２０】
前記第１の区間の長さは、前記基地局からシグナリングされた情報に基づいて決定されることを特徴とする請求項１８に記載のデータ受信装置。
【請求項２１】
ビームフォーミング通信システムのデータ送信装置であって、
サブフレーム内でデータバーストのスケジュールリングのための一つ又はそれ以上の制御情報エレメントを生成し、前記制御情報エレメントの伝送に使用される第１の送信ビームを決定し、前記制御情報エレメントに対応する前記データバーストを生成し、前記制御情報エレメントのうち第１の制御情報エレメントを含むエンコーディング単位と前記データバーストのうち前記第１の制御情報エレメントに対応する第１のデータバーストとの間の時間間隔に基づいて、前記第１の送信ビームに関連する第２の送信ビームを決定する制御器と、
前記サブフレーム内の制御チャネル領域を通して前記第１の送信ビームを使用して前記制御情報エレメントを含む制御信号を送信し、前記サブフレーム内の前記制御チャネル領域に後続するデータ領域のうち第１の区間内で、前記第２の送信ビームを使用して前記第１のデータバーストを載せた第１のデータ信号を伝送する送信器と、を含み、
前記第１及び第２の送信ビームの各々は、相異なるビーム方向を有する複数の送信ビームのうち一つであることを特徴とするデータ送信装置。
【請求項２２】
前記時間間隔が予め定められる閾値より小さいと、前記第２の送信ビームは前記第１の送信ビームに基づいて決定されることを特徴とする請求項２１に記載のデータ送信装置。
【請求項２３】
前記第２の送信ビームは、前記第１の送信ビームと同一であるか、又は前記第１の送信ビームに隣接することを特徴とする請求項２１に記載のデータ送信装置。
【請求項２４】
前記閾値は、基地局からシグナリングされた情報に基づいて決定されることを特徴とする請求項２２に記載のデータ送信装置。
【請求項２５】
ビームフォーミング通信システムのデータ受信装置であって、
サブフレーム内の制御チャネル領域を通して基地局の第１の送信ビームを使用して送信された制御信号を受信し、前記制御信号は制御情報エレメントを含み、前記サブフレーム内の前記制御チャネル領域に後続するデータ領域のうち第１の区間内で、第１の送信ビームに関連する第２の送信ビームを使用して第１のデータ信号を受信する受信器と、
前記受信器によるビームフォーミング受信を制御し、前記制御信号のうち端末に割り当てられた第１の制御チャネルエレメントを検出する制御器と、を含み、
前記第１の区間は、前記第１の制御チャネルエレメントにより示され、前記第２の送信ビームは、前記制御情報エレメントのうち第１の制御情報エレメントを含むエンコーディング単位と前記第１の制御情報エレメントに対応する第１のデータバーストとの間の時間間隔に基づいて決定され、
前記第１及び第２の送信ビームの各々は、相異なるビーム方向を有する複数の送信ビームのうち一つであることを特徴とするデータ受信装置。
【請求項２６】
前記時間間隔が予め定められる閾値より小さいと、前記第２の送信ビームは前記第１の送信ビームに基づいて決定されることを特徴とする請求項２５に記載のデータ受信装置。
【請求項２７】
前記第２の送信ビームは、前記第１の送信ビームと同一であるか、又は前記第１の送信ビームに隣接することを特徴とする請求項２５に記載のデータ受信装置。
【請求項２８】
前記閾値は、前記基地局からシグナリングされた情報に基づいて決定されることを特徴とする請求項２６に記載のデータ受信装置。